(57)【要約】【課題】発光部分でのケースの密閉性を低下させずに、部品点数を増やすことなく、簡易な構成で、点光源を面光源に変換でき、かつ発光形状を調整し易い、電子装置を提供すること。【解決手段】シールド１３６のＬＥＤ１４０と対向する部分に開口１４１を形成するとともに、ケース１１０のうち、少なくとも、シールド１３６の開口１４１と対向する部分にシボ領域を形成した。これにより、拡散板をケースに嵌め込む構成ではないので発光部分でのケースの密閉性を低下させずに済み、拡散板などの拡散部材を用いないのでその分だけ部品点数を少なくできる。また、開口１４１の形状や、シボの領域及びシボ形状を調整するだけで、容易に発光形状を調整することができるようになる。【選択図】図１
2015032782.tif 000002
【特許請求の範囲】
【請求項１】
電子回路が形成された回路基板と、
前記回路基板上に設けられた光源と、
前記電子回路を覆うシールドと、
前記回路基板、前記光源及び前記シールドを収容し、少なくとも光の一部が透過するケースと、
を有し、
前記シールドは、前記光源と対向する部分に開口を有し、
前記ケースは、少なくとも、前記シールドの前記開口と対向する部分にシボ加工が施されている、
電子装置。
【請求項２】
前記シボ加工が施されている前記ケースの領域は、少なくとも、前記光源からの直接光が照射される前記ケースの領域を包む、
請求項１に記載の電子装置。
【請求項３】
前記シボ加工が施されている領域の面積は、前記開口の面積以上である、
請求項１に記載の電子装置。
【請求項４】
前記ケースは、前記シールドの前記開口と対向する部分にレンズ状の凹部を有する、
請求項１から請求項３のいずれか一項に記載の電子装置。
【請求項５】
前記ケースは、互いに係合可能な第１のケース及び第２のケースから構成されており、
前記第１のケースは爪部を有するとともに、前記第２のケースは前記爪部が係合する係合穴を有し、
前記係合穴は、前記第２のケースの立ち上がり部に形成されており、
前記立ち上がり部のうち前記係合穴が形成された周辺部分は、前記立ち上がり部の他の部分よりも肉厚である、
請求項１から請求項４のいずれか一項に記載の電子装置。
【請求項６】
電子回路が形成された回路基板と、
前記回路基板上に設けられた光源と、
前記電子回路を覆うシールドと、
コネクタと、
前記回路基板、前記光源、前記シールド及び前記コネクタを収容し、少なくとも光りの一部が透過するケースと、
を有し、
前記シールドは、前記光源と対向する部分に開口を有し、
前記ケースは、少なくとも、前記シールドの前記開口と対向する部分にシボ加工が施されている、
可搬型インターフェースモジュール。
【発明の詳細な説明】
【技術分野】
【０００１】
本発明は、面発光部を有する電子装置及び可搬型インターフェースモジュールに関する。
【背景技術】
【０００２】
電源のオン／オフや、動作の状態などをユーザに知らせる発光部が設けられた電子装置がある。この種の電子装置においては、電子装置の電源がオンのときや、電子装置が動作中のときに、発光部が発光又は点滅する。
【０００３】
この種の発光部として、電子装置のケース内部に設けられた光源と、ケースを切り欠いて形成された穴に嵌め込まれた拡散板と、を有するものがある（例えば特許文献１参照）。光源から出射した光は拡散板で拡散される。これにより、ＬＥＤなどの点光源から出射された光が拡散板によって面発光される。このように点光源を面光源に変換してからユーザに提示することで、点光源をそのまま提示する場合と比較して、ユーザが点灯／非点灯を区別し易い光を提示できるようになる。
【先行技術文献】
【特許文献】
【０００４】
【特許文献１】特開２００７−３３５７９８号公報
【発明の概要】
【発明が解決しようとする課題】
【０００５】
ところで、特許文献１のように、点光源を面光源へと変換するための拡散板を、ケースに形成された穴に嵌め込む構成とした場合には、ケースの密閉性が低下する欠点がある。また、ケースとは別に拡散板を作成する必要があるので、ケースを作成する金型とは別に拡散板を作成する金型が必要となり、製造のための工程数も増加する欠点がある。
【０００６】
また、発光形状は拡散板の形状によって決まるため、発光形状を変えるためには、拡散板の形状を変える必要がある。拡散板の形状を変えると、拡散板を嵌め込むためのケースの穴の形状も変える必要があるので、大がかりな設計の変更が必要となってしまう。このように、発光形状の調整が容易でない欠点がある。
【０００７】
さらに、拡散板のような拡散部材を設けると、その分だけ部品点数が増えるので、小型の電子装置に適用するにあたっては、小型化の点で不利となる。
【０００８】
本発明は、以上の点を考慮してなされたものであり、発光部分でのケースの密閉性を低下させずに済み、部品点数を増やすことなく、簡易な構成で、点光源を面光源に変換でき、かつ発光形状を調整し易い、電子装置及び可搬型インターフェースモジュールを提供する。
【課題を解決するための手段】
【０００９】
本発明の電子装置の一つの態様は、
電子回路が形成された回路基板と、
前記回路基板上に設けられた光源と、
前記電子回路を覆うシールドと、
前記回路基板、前記光源及び前記シールドを収容し、少なくとも光の一部が透過するケースと、
を有し、
前記シールドは、前記光源と対向する部分に開口を有し、
前記ケースは、少なくとも、前記シールドの前記開口と対向する部分にシボ加工が施されている、
電子装置。
【００１０】
本発明の可搬型インターフェースモジュールの一つの態様は、
電子回路が形成された回路基板と、
前記回路基板上に設けられた光源と、
前記電子回路を覆うシールドと、
コネクタと、
前記回路基板、前記光源、前記シールド及び前記コネクタを収容し、少なくとも光りの一部が透過するケースと、
を有し、
前記シールドは、前記光源と対向する部分に開口を有し、
前記ケースは、少なくとも、前記シールドの前記開口と対向する部分にシボ加工が施されている、
可搬型インターフェースモジュール。
【発明の効果】
【００１１】
本発明によれば、発光部分でのケースの密閉性を低下させずに済み、部品点数を増やすことなく、簡易な構成で、点光源を面光源に変換でき、かつ発光形状を調整し易い、電子装置及び可搬型インターフェースモジュールを実現できる。
【図面の簡単な説明】
【００１２】
【図１】実施の形態に係る可搬型インターフェースモジュールの全体構成を示す分解斜視図
【図２】上ケースの内面を示す平面図
【図３】シボ領域を形成する範囲の説明に供する略線的断面図
【図４】可搬型モジュールを長手方向に沿って切って見た斜視図
【図５】ＬＥＤ光源と、開口と、ＨＤＭＩコネクタと、凹部との位置関係を示した平面図
【図６】上ケースと下ケースを係合させた状態で、ケースの短辺方向に沿って切った斜視図
【図７】上ケースと下ケースを係合させた状態で、ケースの長辺方向に沿って切った断面図
【図８】可搬型インターフェースモジュールの使用形態の例を示す図
【図９】可搬型インターフェースモジュールの使用形態の例を示す図
【図１０】可搬型インターフェースモジュールの使用形態の例を示す図
【発明を実施するための形態】
【００１３】
以下、本発明の実施の形態について、図面を参照して詳細に説明する。
【００１４】
＜可搬型インターフェースモジュールの構成＞
図１は、本発明の実施の形態に係る可搬型インターフェースモジュール（以下、可搬型モジュールと呼ぶ）の全体構成を示す分解斜視図である。可搬型モジュール１００は、インターネット形式の圧縮ディジタルデータをＨＤＭＩ（High-Definition Multimedia Interface）（登録商標）規格に準拠した非圧縮ディジタルデータに変換する機能を有する。
【００１５】
可搬型モジュール１００は、上ケース１１０と、下ケース１２０と、回路ユニット１３０とを有する。回路ユニット１３０は、上ケース１１０と下ケース１２０が係合された状態でケース１１０、１２０内に収容される。ケース１１０、１２０はポリカーボネートにより構成されている。本実施の形態で使用されるポリカーボネートは黒色に着色されている。着色の程度は、ケース１１０、１２０の厚みが２ｍｍ以下程度であれば、ケース内側で発光した光をケース外側から見ることができる程度とされている。このようにして、本実施の形態では、特に上ケース１１０が少なくとも光の一部を透過できるように形成されている。
【００１６】
回路ユニット１３０は、インターネット形式の圧縮ディジタルデータをＨＤＭＩ規格に準拠した非圧縮ディジタルデータに変換する変換回路などの回路が形成された回路基板１３１を有する。回路基板１３１には、ＨＤＭＩコネクタ１３２、ＵＳＢコネクタ１３３、マイクロＵＳＢコネクタ１３４、赤外線受信部１３５が取り付けられている。赤外線受信部１３５は、図示しないリモコンからの操作信号を赤外線受信する。
【００１７】
また、回路基板１３１には、回路を覆うようにシールド１３６が取り付けられており、シールド１３６によって回路を保護するとともに回路からの熱によってケース１１０、１２０が高熱になることを防止するようになっている。
【００１８】
さらに、回路基板１３１には、ＬＥＤ１４０が設けられている。ＬＥＤ１４０に対向するシールド１３６の位置には、ＬＥＤ１４０を中心とした半円形状の開口１４１が形成されている。これにより、ＬＥＤ１４０から発せられた光は、開口１４１を通って上ケース１１０の内面に照射されるようになる。この開口１４１の形状によって上ケース１１０の内面に照射される光の形状が決まる。よって、シールド１３６は、開口１４１の形状によってＬＥＤ１４０からの光を成形する遮光板として機能する。
【００１９】
図２は、上ケース１１０の内面を示す平面図である。上ケース１１０の内面のうち、少なくとも、シールド１３６の開口１４１と対向する部分にはシボ加工が施されたシボ領域１６０が形成されている。これにより、ＬＥＤ１４０から出射されて開口１４１を通過した光はシボ領域１６０によって拡散される。この結果、上ケース１１０の外側から見ると、恰も拡散板を用いているかのように、ＬＥＤ１４０からの光が上ケース１１０のシボ領域１６０で面発光する。これにより、点光源が面光源に変換される。
【００２０】
シボ領域１６０を形成する範囲は、図３に示すように、ＬＥＤ１４０からの直接光が上ケース１１０の内面を照らす領域ＡＲ０以上にすることが好ましい。換言すれば、シボ領域１６０は、少なくとも、ＬＥＤ１４０からの直接光が上ケース１１０の内面を照らす領域ＡＲ０を包む領域に形成されている。このようにすれば、上ケース１１０の外側のどの方向から見ても、点光源が発光しているようには見えずに面発光しているように見える。また、ＬＥＤ１４０と上ケース１１０との間に存在する部品（実施の形態の場合には、シールド１３６及びＨＤＭＩコネクタ１３２）の影の境界がシボによってぼやかされ、これにより、影の映り込みの小さい、違和感のない面発光を実現できるようになる。
【００２１】
シボ加工は、金型にシボを形成しておき、それを上ケース１１０に転写するなどの既知の方法を用いて行えばよい。
【００２２】
なお、シボ領域１６０の範囲は、領域ＡＲ０以上であれば非常に好ましいが、これに限らない。例えば、シボ領域１６０の面積を開口１４１の面積以上としてもよい。
【００２３】
加えて、上ケース１１０の内面のうち、シールド１３６の開口１４１に対向する位置には、レンズ状の凹部１５０が形成されている。凹部１５０は、図４及び図７からも分かるように、上ケース１１０の厚みが凹部１５０の中心ほど薄くなるように、上ケース１１０の内面を窪ませることで形成されている。これにより、上ケース１１０の外側から見た場合に、凹部１５０の中心ほど透光性が大きくなるので、ＬＥＤ１４０が発光すると、凹部１５０の中心ほど明るく見え、凹部１５０の外側に行くに従って徐々に暗く見える。これにより、ＬＥＤ１４０から光を円状の自然な光として見せることができるようになる。
【００２４】
図４は、可搬型モジュール１００を長手方向に沿って切って見た斜視図である。図５は、ＬＤＥ１４０と、開口１４１と、ＨＤＭＩコネクタ１３２と、凹部１５０との位置関係を示した平面図である。なお、図５は、回路基板１３１等の部品は省略して示してある。
【００２５】
図６は、上ケース１１０と下ケース１２０を係合させた状態で、ケースを短辺方向に沿って切って見た斜視図である。図７は、上ケース１１０と下ケース１２０を係合させた状態で、ケースを長辺方向に沿って切った断面図である。図６から分かるように、上ケース１１０に形成された爪部１１１が下ケース１２０に形成された係合穴１２１に係合することで、上ケース１１０と下ケース１２０が一体的に係合する。
【００２６】
ここで、下ケース１２０の係合穴１２１は、図１から分かるように、下ケースの長手方向の両側に延在する立ち上がり部１２２に形成されている。本実施の形態の場合には、各立ち上がり部１２２に間隔を隔てて３つの係合穴１２１が形成されている。ここで、係合穴１２１が形成された周辺の立ち上がり部１２２には、他の立ち上がり部分よりも肉厚とされた肉厚部１２３が形成されている。具体的には、肉厚部１２３は、係合穴１２１の上下方向に亘って立ち上がり部１２２に形成されている。これにより、上ケース１１０と下ケース１２０の係合時に大きな力がかかる係合穴１２１付近の立ち上がり部１２２の強度が大きくされているので、係合時における下ケース１２０の破損を防止できる。
【００２７】
因みに、回路基板１３１は、下ケース１２０及び上ケース１１０に形成されたリブに当接又は係合することで位置決めされる。
【００２８】
以上説明したように、本実施の形態によれば、シールド１３６のＬＥＤ１４０と対向する部分に開口１４１を形成するとともに、ケース１１０のうち、少なくとも、シールド１３６の開口１４１と対向する部分にシボ領域１６０を形成したことにより、発光部分でのケースの密閉性を低下させずに、部品点数を増やすことなく、簡易な構成で、点光源を面光源に変換でき、かつ発光形状を調整し易い、可搬型モジュール１００を実現できる。
【００２９】
つまり、拡散板をケースに嵌め込む構成ではないので発光部分でのケースの密閉性を低下させずに済み、拡散板などの拡散部材を用いないのでその分だけ部品点数を少なくできる。また、開口１４１の形状や、シボの領域及びシボ形状を調整するだけで、容易に発光形状を調整することができるようになる。
【００３０】
＜可搬型インターフェースモジュールの接続形態＞
次に、本実施の形態の可搬型モジュール１００の接続形態について、図８、図９及び図１０を用いて説明する。
【００３１】
図８に示すように、可搬型モジュール１００はＨＤＭＩケーブル２００によってテレビ等のＨＤＭＩシンク機器３００に接続される。可搬型モジュール１００は、いわゆるＨＤＭＩソース機器として機能する。接続は、可搬型モジュール１００のＨＤＭＩコネクタ（メス型）１３２にＨＤＭＩケーブル２００のコネクタ（オス型）２０１が挿入されるとともに、ＨＤＭＩシンク機器３００のＨＤＭＩコネクタ（メス型）３０１にＨＤＭＩケーブル２００のコネクタ（オス型）２０２が挿入されることにより行われる。
【００３２】
可搬型モジュール１００は、ＵＳＢコネクタ１３３（図１）やマイクロＵＳＢコネクタ１３４（図１）から入力した圧縮データを、ＨＤＭＩ規格に準拠した非圧縮ディジタル形式の映像及び音声信号に変換して、それをＨＤＭＩケーブル２００を介してＨＤＭＩシンク機器３００に出力する。
【００３３】
図９及び図１０は、ＨＤＭＩケーブル２００の代わりに、可搬型モジュール１００に結合可能なケース４００を用いる例を示すものである。図９に示すように、ケース４００には、ＨＤＭＩケーブル４０１が内蔵されているとともに、ＨＤＭＩケーブル４０１の両端のオス型コネクタ４０２、４０３がケース４００から突出するように設けられている。可搬型モジュール１００はＬ型のケース４００と一体に結合する。具体的には、ケース４００に形成された載置面に可搬型モジュール１００を載置し、可搬型モジュール１００のＨＤＭＩコネクタ（メス型）１３２にケース４００のＨＤＭＩコネクタ（オス型）４０２を挿入することで、可搬型モジュール１００をケース４００に結合する。また、図１０に示すように、ケース４００のＨＤＭＩコネクタ（オス型）４０３は、ＨＤＭＩシンク機器３００のＨＤＭＩコネクタ（メス型）３０１に挿入される。この結果、可搬型モジュール１００は、ケース４００を介して、ＵＳＢドングルのように、ＨＤＭＩシンク機器３００に一体的に結合される。
【００３４】
なお、上述の実施の形態では、本発明を、インターネット形式の圧縮ディジタルデータをＨＤＭＩ規格に準拠した非圧縮ディジタルデータに変換する機能を有する、可搬型モジュール１００に適用した場合について述べたが、本発明はこれに限らず、点光源を面光源に変換して、ケースの外側のユーザに点灯／非点灯を提示する電子装置に広く適用可能である。
【００３５】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【産業上の利用可能性】
【００３６】
本発明は、面発光部を有する電子装置に適用し得る。
【符号の説明】
【００３７】
１００  可搬型インターフェースモジュール
１１０  上ケース
１２０  下ケース
１２１  係合穴
１２２  立ち上がり部
１２３  肉厚部
１３０  回路ユニット
１３１  回路基板
１３２  ＨＤＭＩコネクタ
１３３  ＵＳＢコネクタ
１３４  マイクロＵＳＢコネクタ
１３５  赤外線受信部
１３６  シールド
１４０  ＬＥＤ
１４１  開口
１５０  凹部
１６０  シボ領域
２００、４０１  ＨＤＭＩケーブル
２０１、２０２、４０２、４０３  オス型コネクタ
３００  ＨＤＭＩシンク機器
３０１  メス型コネクタ
４００  ケース
【図１】
2015032782.tif 000003
【図２】
2015032782.tif 000004
【図３】
2015032782.tif 000005
【図４】
2015032782.tif 000006
【図５】
2015032782.tif 000007
【図６】
2015032782.tif 000008
【図７】
2015032782.tif 000009
【図８】
2015032782.tif 000010
【図９】
2015032782.tif 000011
【図１０】
2015032782.tif 000012